【手続補正書】
【提出日】平成20年2月18日(2008.2.18)
【手続補正１】
【補正対象書類名】明細書
【補正対象項目名】特許請求の範囲
【補正方法】変更
【補正の内容】
【特許請求の範囲】
【請求項１】
情報処理装置に所定の処理を実行させるためのプログラムおよびそのプログラムから参照されるデータを記録した情報処理装置読み取り可能な記録媒体において、
前記データは、所定のオブジェクトを表示するための画像データであって、複数の解像度用に作成された画像データを含み、
前記プログラムは、情報処理装置が表示データを出力する画像表示装置を判別する処理と、
判別された画像表示装置に応じて、表示すべきオブジェクトの画像データを、前記複数の解像度用に作成された画像データの中から特定する処理と、
を情報処理装置に実行させることを特徴とする記録媒体。
【請求項２】
情報処理装置に所定の処理を実行させるためのプログラムおよびそのプログラムから参照されるデータを記録した情報処理装置読み取り可能な記録媒体において、
前記データは、所定のオブジェクトを表示するための画像データであって複数の解像度用に作成された画像データと、所定のオブジェクトを表示するための画像データであって一つの解像度用に作成された画像データとを含み、
前記プログラムは、情報表示装置が表示データを出力する画像表示装置を判別する処理と、
表示すべきオブジェクトの画像データが、複数の解像度用に作成された画像データであるか一つの解像度用に作成された画像データであるかを調べ、
複数の解像度用に作成された画像データである場合には、判別された画像表示装置に応じて、オブジェクトを表示するための画像データを、前記複数の解像度用に作成された画像データの中から特定し、
一つの解像度用に作成された画像データである場合には、その画像データが判別された画像表示装置に対応した解像度用であるかをさらに調べ、
対応していない場合には、その画像データを拡大または縮小する処理と
を情報処理装置に実行させることを特徴とする記録媒体。
【請求項３】
プログラムおよびそのプログラムから参照されるデータを格納する記憶手段を有する情報処理装置であって、
画像を表示する画像表示装置を判別する手段を備え、
前記データは、所定のオブジェクトを表示するための画像データであって、複数の解像度用に作成された画像データを含み、
前記プログラムは、判別された画像表示装置に応じて、表示すべきオブジェクトの画像データを、前記複数の解像度用に作成された画像データの中から特定する処理を情報処理装置に実行させることを特徴とする情報処理装置。
【請求項４】
プログラムおよびそのプログラムから参照されるデータを格納する記憶手段を有する情報処理装置であって、
画像を表示する画像表示装置を判別する手段を備え、
前記データは、所定のオブジェクトを表示するための画像データであって複数の解像度用に作成された画像データと、所定のオブジェクトを表示するための画像データであって一つの解像度用に作成された画像データとを含み、
前記プログラムは、表示すべきオブジェクトの画像データが、複数の解像度用に作成された画像データであるか一つの解像度用に作成された画像データであるかを調べ、
複数の解像度用に作成された画像データである場合には、判別された画像表示装置に応じて、オブジェクトを表示するための画像データを、前記複数の解像度用に作成された画像データの中から特定し、
一つの解像度用に作成された画像データである場合には、その画像データが判別された画像表示装置に対応した解像度用であるかをさらに調べ、
対応していない場合には、その画像データを拡大または縮小する処理を情報処理装置に実行させることを特徴とする情報処理装置。
【請求項５】
請求項３または４に記載の情報処理装置であって、
画像表示装置を内蔵し、かつ、外部画像表示装置に接続可能であり、
前記画像を表示する画像表示装置を判別する手段は、画像表示装置が、情報処理装置が内蔵する画像表示装置であるか、接続された外部画像表示装置であるかを判別することを特徴とする情報処理装置。
【請求項６】
情報処理装置に所定の処理を実行させるためのプログラムであって、
あらかじめ用意された、所定のオブジェクトを表示するための画像データであって、複数の解像度用に作成された画像データを参照する処理と、
情報処理装置が表示データを出力する画像表示装置を判別する処理と、
判別された画像表示装置に応じて、表示すべきオブジェクトの画像データを、前記複数の解像度用に作成された画像データの中から特定する処理と
を情報処理装置に実行させることを特徴とするプログラム。
【請求項７】
情報処理装置に所定の処理を実行させるためのプログラムであって、
あらかじめ用意された、所定のオブジェクトを表示するための画像データであって複数の解像度用に作成された画像データと、あらかじめ用意された、所定のオブジェクトを表示するための画像データであって一つの解像度用に作成された画像データとを参照する処理と、
情報処理装置が表示データを出力する画像表示装置を判別する処理と、
表示すべきオブジェクトの画像データが、複数の解像度用に作成された画像データであるか一つの解像度用に作成された画像データであるかを調べ、
複数の解像度用に作成された画像データである場合には、判別された画像表示装置に応じて、オブジェクトを表示するための画像データを、前記複数の解像度用に作成された画像データの中から特定し、
一つの解像度用に作成された画像データである場合には、その画像データが判別された画像表示装置に対応した解像度用であるかをさらに調べ、
対応していない場合には、その画像データを拡大または縮小する処理と
を情報処理装置に実行させることを特徴とするプログラム。
【請求項８】
プログラムおよびそのプログラムから参照されるデータを格納する記憶手段と有する情報処理装置であって、
所定の解像度の画像を表示する第１の画像表示装置と、
外部に接続されている第２の画像表示装置に、前記所定の解像度とは異なる解像度の画像を出力する外部画像出力端子と、
を備えることを特徴とする情報処理装置。
【請求項９】
ゲームプログラムおよびそのゲームプログラムから参照されるデータを格納する記憶手段を有する携帯型ゲーム機であって、
所定の解像度の画像を表示する第１の画像表示装置と、
外部に接続されている第２の画像表示装置に、前記所定の解像度とは異なる解像度の画像を出力する外部画像出力端子と、
を備えることを特徴とする携帯型ゲーム機。
【請求項１０】
請求項９に記載の携帯型ゲーム機であって、
画像を表示する画像表示装置が、前記第１の画像表示装置であるか、前記第２の画像表示装置であるか、を判別する手段を備え、
前記データは、ゲームに登場するオブジェクトを表示するための画像データであって、複数の解像度用に作成された画像データを含み、
前記ゲームプログラムは、判別された画像表示装置に応じて、表示すべきオブジェクトの画像データを、前記複数の解像度用に作成された画像データの中から特定する処理と、
判別された画像表示装置が前記第１の画像表示装置である場合には、前記第１の画像表示装置に、特定した前記画像データを出力し、判別された画像表示装置が前記第２の画像表示装置である場合には、前記外部画像出力端子に、特定した前記画像データを出力する処理と
を携帯型ゲーム機に実行させることを特徴とする携帯型ゲーム機。
【請求項１１】
請求項１０に記載の携帯型ゲーム機であって、
複数の解像度用に作成された前記画像データは、所定の解像度である第１の画像データと、前記所定の解像度よりも高解像度である第２の画像データと、を含むことを特徴とする携帯型ゲーム機。
【請求項１２】
請求項１１に記載の携帯型ゲーム機であって、
前記ゲームプログラムは、判別された画像表示装置が前記第１の画像表示装置である場合には、前記第１の画像データを、前記複数の解像度用に作成された画像データの中から特定し、判別された画像表示装置が前記第２の画像表示装置である場合には、前記第２の画像データを、前記複数の解像度用に作成された画像データの中から特定する処理を携帯型ゲーム機に実行させることを特徴とする携帯型ゲーム機。